(57)【要約】【課題】導電部と外部接続部との接続が困難となることの抑制された電力変換ユニットを提供する。【解決手段】電力変換ユニット５２０はｘ方向に離間して並ぶＡ相レグ５３１〜Ｄ相レグ５３４とこれらを保持する冷却器５３７を備えるスイッチモジュール５３０を有する。また電力変換ユニットはｘ方向に延びる態様で互いに連結された第１分割バスバ５７１と第２分割バスバ５７２を備えるＮバスバ５７０を有する。第１分割バスバにＡ相レグ〜Ｄ相レグが接続されている。第２分割バスバに第２電力ライン３０２が接続される。【選択図】図２
2020099135.tif 000002
【特許請求の範囲】
【請求項１】
並び方向に離間して並ぶ複数のスイッチ（５３１〜５３４）、および、複数の前記スイッチを保持する保持部（５３７）を備えるスイッチユニット（５３０）と、
前記並び方向に延びる態様で互いに連結された複数の分割バスバ（５７１，５７２）を備える導電部（５７０）と、を有し、
互いに連結された複数の前記分割バスバのうちの２つの端のうちの一方に位置する前記分割バスバ（５７１）に前記スイッチが接続され、複数の前記分割バスバのうちの２つの端のうちの他方に位置する前記分割バスバ（５７２）に外部接続部（３０２）が接続される電力変換ユニット。
【請求項２】
前記導電部の固定される、絶縁性の端子台（５９０）と、
前記スイッチユニット、および、前記導電部の固定された前記端子台それぞれを支持する筐体（５８０）と、を有し、
複数の前記分割バスバが少なくとも１つの連結ボルト（５７３）によって連結され、
前記端子台が前記筐体に連結されている請求項１に記載の電力変換ユニット。
【請求項３】
複数の前記分割バスバのうちの２つの端のうちの他方に位置する前記分割バスバには、前記連結ボルトの挿入される第１ボルト孔（５７４ｃ）、前記導電部を前記端子台に固定するための固定ボルト（５７８）の挿入される第２ボルト孔（５７６ｃ）、および、前記導電部と前記外部接続部とを接続するための接続ボルト（５７９）の挿入される第３ボルト孔（５７７ｃ）が形成され、
前記端子台には、前記第３ボルト孔を通った前記接続ボルトの軸部の挿入される接続ボルト孔（５９４ｃ）が形成され、
前記並び方向において、前記第１ボルト孔と前記第３ボルト孔との間に前記第２ボルト孔が位置している請求項２に記載の電力変換ユニット。
【請求項４】
前記第３ボルト孔は前記並び方向に延び、前記第１ボルト孔と前記第２ボルト孔は前記並び方向に交差する交差方向に延びている請求項３に記載の電力変換ユニット。
【請求項５】
前記端子台には、支持ボルト（５９２ｄ）によって前記端子台を前記筐体に固定するための支持ボルト孔（５９２ｃ）が形成され、
前記支持ボルト孔は前記並び方向において前記第１ボルト孔と前記第３ボルト孔との間に位置している請求項３または請求項４に記載の電力変換ユニット。
【請求項６】
前記第１ボルト孔と前記第２ボルト孔との離間距離よりも、前記第２ボルト孔と前記第３ボルト孔との離間距離の方が短い請求項３〜５いずれか１項に記載の電力変換ユニット。
【発明の詳細な説明】
【技術分野】
【０００１】
本明細書に記載の開示は、電力変換ユニットに関するものである。
【背景技術】
【０００２】
特許文献１に示されるように、複数の半導体モジュールと、複数の半導体モジュールに接続される直流バスバと、を備える電力変換装置が知られている。複数の半導体モジュールは積層方向に積層されている。直流バスバは積層方向に延びている。
【先行技術文献】
【特許文献】
【０００３】
【特許文献１】特許第５８０３６８４号公報
【発明の概要】
【発明が解決しようとする課題】
【０００４】
上記したように特許文献１に示される電力変換装置では直流バスバが積層方向に延びている。そのために直流バスバの積層方向の寸法バラツキが増大する虞がある。これにより直流バスバ（導電部）とワイヤなどの外部接続部との接続が困難になる虞がある。
【０００５】
そこで本明細書に記載の開示は、導電部と外部接続部との接続が困難となることの抑制された電力変換ユニットを提供することを目的とする。
【課題を解決するための手段】
【０００６】
開示の１つは、並び方向に離間して並ぶ複数のスイッチ（５３１〜５３４）、および、複数のスイッチを保持する保持部（５３７）を備えるスイッチユニット（５３０）と、
並び方向に延びる態様で互いに連結された複数の分割バスバ（５７１，５７２）を備える導電部（５７０）と、を有し、
互いに連結された複数の分割バスバのうちの２つの端のうちの一方に位置する分割バスバ（５７１）にスイッチが接続され、複数の分割バスバのうちの２つの端のうちの他方に位置する分割バスバ（５７２）に外部接続部（３０２）が接続される。
【０００７】
これによれば複数の分割バスバ（５７１，５７２）それぞれの延長が抑制される。そのために複数の分割バスバ（５７１，５７２）それぞれの長さの寸法バラツキの増大が抑制される。これにより導電部（５７０）と外部接続部（３０２）との接続が困難となることが抑制される。
【０００８】
なお、上記の括弧内の参照番号は、後述の実施形態に記載の構成との対応関係を示すものに過ぎず、技術的範囲を何ら制限するものではない。
【図面の簡単な説明】
【０００９】
【図１】車載システムを示す回路図である。
【図２】第１実施形態に係る電力変換ユニットの上面図である。
【図３】第１実施形態に係る電力変換ユニットの下面図である。
【図４】第２分割バスバと端子台を示す斜視図である。
【図５】第２分割バスバと端子台の正面図である。
【図６】図５に示すＶＩ−ＶＩ線に沿う断面図である。
【図７】端子台の変形例を示す断面図である。
【発明を実施するための形態】
【００１０】
以下、実施形態を図に基づいて説明する。
【００１１】
（第１実施形態）
＜車載システム＞
先ず、図１に基づいて電力変換ユニット５２０の設けられる車載システム１００を説明する。この車載システム１００は電気自動車用のシステムを構成している。車載システム１００は、バッテリ２００、電力変換装置３００、および、モータ４００を有する。電力変換装置３００に電力変換ユニット５２０が含まれている。
【００１２】
また車載システム１００は図示しない複数のＥＣＵを有する。これら複数のＥＣＵはバス配線を介して相互に信号を送受信している。複数のＥＣＵは協調して電気自動車を制御している。複数のＥＣＵの制御により、バッテリ２００のＳＯＣに応じたモータ４００の回生と力行が制御される。ＳＯＣはstate of chargeの略である。ＥＣＵはelectronic control unitの略である。
【００１３】
バッテリ２００は複数の二次電池を有する。これら複数の二次電池は直列接続された電池スタックを構成している。この電池スタックのＳＯＣがバッテリ２００のＳＯＣに相当する。二次電池としてはリチウムイオン二次電池、ニッケル水素二次電池、および、有機ラジカル電池などを採用することができる。
【００１４】
電力変換装置３００はバッテリ２００とモータ４００との間の電力変換を行う。電力変換装置３００はバッテリ２００の直流電力をモータ４００の力行に適した電圧レベルの交流電力に変換する。電力変換装置３００はモータ４００の発電（回生）によって生成された交流電力をバッテリ２００の充電に適した電圧レベルの直流電力に変換する。
【００１５】
モータ４００は図示しない電気自動車の出力軸に連結されている。モータ４００の回転エネルギーは出力軸を介して電気自動車の走行輪に伝達される。逆に、走行輪の回転エネルギーは出力軸を介してモータ４００に伝達される。
【００１６】
モータ４００は電力変換装置３００から供給される交流電力によって力行する。これにより推進力が走行輪に付与される。またモータ４００は走行輪から伝達される回転エネルギーによって回生する。この回生によって発生した交流電力は、電力変換装置３００によって直流電力に変換されるとともに降圧される。この直流電力がバッテリ２００に供給される。また直流電力は電気自動車に搭載された各種電気負荷にも供給される。
【００１７】
＜電力変換装置＞
次に電力変換装置３００を説明する。電力変換装置３００はコンバータ５００とインバータ６００を備えている。コンバータ５００はバッテリ２００の直流電力をモータ４００の力行に適した電圧レベルに昇圧する。インバータ６００はこの直流電力を交流電力に変換する。この交流電力がモータ４００に供給される。またインバータ６００はモータ４００で生成された交流電力を直流電力に変換する。コンバータ５００はこの直流電力をバッテリ２００の充電に適した電圧レベルに降圧する。
【００１８】
図１に示すようにコンバータ５００は第１電力ライン３０１と第２電力ライン３０２を介してバッテリ２００と電気的に接続されている。コンバータ５００は第３電力ライン３０３と第４電力ライン３０４を介してインバータ６００と電気的に接続されている。
【００１９】
第１電力ライン３０１はバッテリ２００の正極に接続されている。第２電力ライン３０２はバッテリ２００の負極に接続されている。これら第１電力ライン３０１と第２電力ライン３０２に第１平滑コンデンサ５０１が接続されている。第１平滑コンデンサ５０１の有する２つの電極のうちの一方が第１電力ライン３０１に接続されている。第１平滑コンデンサ５０１の有する２つの電極のうちの他方が第２電力ライン３０２に接続されている。第１平滑コンデンサ５０１はコンバータ５００の構成要素の一部である。コンバータ５００については後で詳説する。
【００２０】
インバータ６００は第３電力ライン３０３と第４電力ライン３０４との間で並列接続された３相以上のレグを有する。これら３相以上のレグそれぞれは直列接続された２つのスイッチ素子を有する。これら２つのスイッチ素子の間の中点にバスバが接続されている。このバスバがモータ４００のステータコイルと電気的に接続されている。インバータ６００の構成についてはその説明と図示を省略する。
【００２１】
＜コンバータの回路構成＞
図１に示すようにコンバータ５００はリアクトル５１０と電力変換ユニット５２０を有する。電力変換ユニット５２０はスイッチモジュール５３０と第２平滑コンデンサ５４０を有する。また電力変換ユニット５２０は図示しない放電抵抗を有する。なお厳密に区別すれば、第２平滑コンデンサ５４０はインバータ６００の構成要素である。
【００２２】
リアクトル５１０は連結バスバ５５０を介してスイッチモジュール５３０と機械的および電気的に接続されている。スイッチモジュール５３０はＰバスバ５６０とＮバスバ５７０それぞれを介して第２平滑コンデンサ５４０と機械的および電気的に接続されている。
【００２３】
リアクトル５１０はＡ相リアクトル５１１、Ｂ相リアクトル５１２、Ｃ相リアクトル５１３、および、Ｄ相リアクトル５１４を有する。これに応じてスイッチモジュール５３０はＡ相レグ５３１、Ｂ相レグ５３２、Ｃ相レグ５３３、および、Ｄ相レグ５３４を有する。連結バスバ５５０はＡ相連結バスバ５５１、Ｂ相連結バスバ５５２、Ｃ相連結バスバ５５３、および、Ｄ相連結バスバ５５４を有する。
【００２４】
このように本実施形態のコンバータ５００は、Ａ相〜Ｄ相の４相のリアクトル、レグ、および、連結バスバを備える。４相のレグは上記のＥＣＵおよびゲートドライバによって各相独立して駆動制御される。若しくは、ＥＣＵおよびゲートドライバによって４相のレグは同調して駆動制御される。
【００２５】
Ａ相レグ５３１〜Ｄ相レグ５３４それぞれは、半導体素子として、ハイサイドスイッチ５３５とローサイドスイッチ５３６、および、ハイサイドダイオード５３５ａとローサイドダイオード５３６ａを有する。これら半導体素子が樹脂封止されてパッケージが構成されている。Ａ相レグ５３１〜Ｄ相レグ５３４がスイッチに相当する。
【００２６】
スイッチモジュール５３０は図２および図３に示すようにＡ相レグ５３１〜Ｄ相レグ５３４それぞれを保持する冷却器５３７を有する。この冷却器５３７の内部に冷媒が流れる。これによりＡ相レグ５３１〜Ｄ相レグ５３４それぞれの昇温が抑えられている。冷却器５３７が保持部に相当する。スイッチモジュール５３０がスイッチユニットに相当する。
【００２７】
本実施形態では、ハイサイドスイッチ５３５とローサイドスイッチ５３６としてｎチャネル型のＩＧＢＴを採用している。これらハイサイドスイッチ５３５とローサイドスイッチ５３６それぞれのコレクタ電極、エミッタ電極、および、ゲート電極それぞれに接続された端子の先端が上記のパッケージの外に露出されている。
【００２８】
図１に示すようにハイサイドスイッチ５３５のコレクタ電極はＰバスバ５６０に接続されている。ハイサイドスイッチ５３５のエミッタ電極とローサイドスイッチ５３６のコレクタ電極とが接続されている。ローサイドスイッチ５３６のエミッタ電極がＮバスバ５７０に接続されている。これによりハイサイドスイッチ５３５とローサイドスイッチ５３６はＰバスバ５６０からＮバスバ５７０へ向かって順に直列接続されている。Ｎバスバ５７０が導電部に相当する。
【００２９】
また、ハイサイドスイッチ５３５のコレクタ電極にハイサイドダイオード５３５ａのカソード電極が接続されている。ハイサイドスイッチ５３５のエミッタ電極にハイサイドダイオード５３５ａのアノード電極が接続されている。これによりハイサイドスイッチ５３５にハイサイドダイオード５３５ａが逆並列接続されている。
【００３０】
同様にして、ローサイドスイッチ５３６のコレクタ電極にローサイドダイオード５３６ａのカソード電極が接続されている。ローサイドスイッチ５３６のエミッタ電極にローサイドダイオード５３６ａのアノード電極が接続されている。これによりローサイドスイッチ５３６にローサイドダイオード５３６ａが逆並列接続されている。
【００３１】
なお、これらハイサイドスイッチ５３５とローサイドスイッチ５３６としては、ＩＧＢＴではなくＭＯＳＦＥＴを採用することもできる。採用するスイッチの種類としては特に限定されない。ただし、これらスイッチとしてＭＯＳＦＥＴを採用する場合、上記のダイオードはなくともよい。
【００３２】
また、コンバータ５００を構成する半導体素子は、Ｓｉなどの半導体、および、ＳｉＣなどのワイドギャップ半導体によって製造することができる。半導体素子の構成材料としては特に限定されない。
【００３３】
更に言えば、Ａ相レグ５３１〜Ｄ相レグ５３４それぞれの有するスイッチ素子の種類と構成材料は異なっていてもよい。例えば、Ａ相レグ５３１の備えるスイッチ素子がＳｉＣから構成されるＭＯＳＦＥＴ、Ｂ相レグ５３２〜Ｄ相レグ５３４それぞれの備えるスイッチ素子がＳｉから構成されるＩＧＢＴであってもよい。
【００３４】
図１に示すように、Ａ相リアクトル５１１の一端は第１電力ライン３０１に接続される。Ａ相リアクトル５１１の他端はＡ相連結バスバ５５１を介してＡ相レグ５３１のハイサイドスイッチ５３５のエミッタ電極とローサイドスイッチ５３６のコレクタ電極に接続される。以上により、Ａ相リアクトル５１１はバッテリ２００の正極と、Ａ相レグ５３１のハイサイドスイッチ５３５とローサイドスイッチ５３６との間の中点とに接続されている。
【００３５】
同様にして、Ｂ相リアクトル５１２の一端は第１電力ライン３０１に接続される。Ｂ相リアクトル５１２の他端はＢ相連結バスバ５５２を介してＢ相レグ５３２のハイサイドスイッチ５３５のエミッタ電極とローサイドスイッチ５３６のコレクタ電極に接続される。以上により、Ｂ相リアクトル５１２はバッテリ２００の正極と、Ｂ相レグ５３２のハイサイドスイッチ５３５とローサイドスイッチ５３６との間の中点とに接続されている。
【００３６】
Ｃ相リアクトル５１３の一端は第１電力ライン３０１に接続される。Ｃ相リアクトル５１３の他端はＣ相連結バスバ５５３を介してＣ相レグ５３３のハイサイドスイッチ５３５のエミッタ電極とローサイドスイッチ５３６のコレクタ電極に接続される。以上により、Ｃ相リアクトル５１３はバッテリ２００の正極と、Ｃ相レグ５３３のハイサイドスイッチ５３５とローサイドスイッチ５３６との間の中点とに接続されている。
【００３７】
Ｄ相リアクトル５１４の一端は第１電力ライン３０１に接続される。Ｄ相リアクトル５１４の他端はＤ相連結バスバ５５４を介してＤ相レグ５３４のハイサイドスイッチ５３５のエミッタ電極とローサイドスイッチ５３６のコレクタ電極に接続される。以上により、Ｄ相リアクトル５１４はバッテリ２００の正極と、Ｄ相レグ５３４のハイサイドスイッチ５３５とローサイドスイッチ５３６との間の中点とに接続されている。
【００３８】
Ａ相レグ５３１〜Ｄ相レグ５３４それぞれの備えるハイサイドスイッチ５３５とローサイドスイッチ５３６は上記のＥＣＵとゲートドライバによって開閉制御される。ＥＣＵは制御信号を生成し、それをゲートドライバに出力する。ゲートドライバは制御信号を増幅し、それをスイッチのゲート電極に出力する。これによりＥＣＵはハイサイドスイッチ５３５とローサイドスイッチ５３６を開閉制御して、コンバータ５００に入力される直流電力の電圧レベルを昇降圧する。
【００３９】
ＥＣＵは制御信号としてパルス信号を生成している。ＥＣＵはこのパルス信号のオンデューティ比と周波数を調整することで直流電力の昇降圧レベルを調整している。またＥＣＵはＡ相レグ５３１〜Ｄ相レグ５３４のうちの駆動対象とするレグの数を選択することで昇降圧レベルを調整している。この昇降圧レベルはモータ４００の目標トルクとバッテリ２００のＳＯＣに応じて決定される。
【００４０】
バッテリ２００の直流電力を昇圧する場合、ＥＣＵはハイサイドスイッチ５３５とローサイドスイッチ５３６それぞれを交互に開閉する。これとは反対にインバータ６００から供給された直流電力を降圧する場合、ＥＣＵはローサイドスイッチ５３６に出力する制御信号をローレベルに固定する。それとともにＥＣＵはハイサイドスイッチ５３５に出力する制御信号をハイレベルとローレベルに順次切り換える。
【００４１】
＜電力変換ユニットの構成＞
次に、電力変換ユニット５２０の構成を説明する。それに当たって、以下においては互いに直交の関係にある３方向をｘ方向、ｙ方向、および、ｚ方向とする。ｘ方向が並び方向に相当する。ｚ方向が交差方向に相当する。
【００４２】
図２および図３に示すように電力変換ユニット５２０は、これまでに説明したスイッチモジュール５３０、第２平滑コンデンサ５４０、連結バスバ５５０、Ｐバスバ５６０、および、Ｎバスバ５７０の他に、これらを支持（収納）するケース５８０を有する。ケース５８０が筐体に相当する。
【００４３】
ケース５８０は環状の枠部５８１と、枠部５８１に一体的に連結された支持部５８２と、を有する。枠部５８１はｘ方向で互いに離間して対向する第１側壁５８１ａと第２側壁５８１ｂ、および、ｙ方向で互いに離間して対向する第３側壁５８１ｃと第４側壁５８１ｄを有する。
【００４４】
第１側壁５８１ａと第２側壁５８１ｂはｙ方向に延びている。第３側壁５８１ｃと第４側壁５８１ｄはｘ方向に延びている。第１側壁５８１ａ、第３側壁５８１ｃ、第２側壁５８１ｂ、および、第４側壁５８１ｄはｚ方向まわりの周方向で順に環状に連結されている。これにより枠部５８１はｚ方向に開口する環状を成している。
【００４５】
なお第２側壁５８１ｂには後述の供給管５３７ａと排出管５３７ｂを設けるための２つの溝部が形成されている。これら２つの溝部はケース５８０の下面側から上面側に向かって局所的に凹んでいる。
【００４６】
支持部５８２は枠部５８１の中空に位置している。支持部５８２は枠部５８１の内壁面に連結されている。支持部５８２によって枠部５８１の上面側の開口の一部が閉塞されている。
【００４７】
細分化して説明すると支持部５８２は、第３側壁５８１ｃの内壁面に連結されてｘ方向に延びる第１支持部５８２ａと、第４側壁５８１ｄの内壁面に連結されてｘ方向に延びる第２支持部５８２ｂと、を有する。
【００４８】
第１支持部５８２ａと第２支持部５８２ｂはｙ方向で離間している。第１支持部５８２ａと第２支持部５８２ｂとの間の空隙が枠部５８１の開口とｚ方向で連通している。これら第１支持部５８２ａと第２支持部５８２ｂとに冷却器５３７と後述のバネ部５３８が設けられる。
【００４９】
支持部５８２は第１支持部５８２ａと第２支持部５８２ｂの他に第３支持部５８２ｃを有する。第３支持部５８２ｃはｘ方向で第１側壁５８１ａから離間している。第３支持部５８２ｃはｙ方向において第１支持部５８２ａと第２支持部５８２ｂとの間に位置している。第３支持部５８２ｃは第１支持部５８２ａ、第２支持部５８２ｂ、および、第２側壁５８１ｂそれぞれに連結されている。図３では第３支持部５８２ｃと第２支持部５８２ｂとの境に破線を付与している。
【００５０】
第３支持部５８２ｃにはｚ方向に沿ってケース５８０の下面側から上面側に向かって局所的に凹んだ凹部５８２ｄが形成されている。この凹部５８２ｄに第２平滑コンデンサ５４０が設けられる。
【００５１】
凹部５８２ｄの一部を区画する底壁にはｚ方向に開口する貫通孔が形成されている。この貫通孔を介して、第２平滑コンデンサ５４０の有する２つの電極と電気的に接続された２つの電極端子に、後述の第１延長バスバ５４１と第２延長バスバ５４２が接続可能になっている。なお第１支持部５８２ａと第２支持部５８２ｂそれぞれはこの凹部５８２ｄの一部を区画する底壁に連結されている。
【００５２】
上記したようにスイッチモジュール５３０はパッケージを構成するＡ相レグ５３１〜Ｄ相レグ５３４と、これらを保持する冷却器５３７と、を有する。図３に示すように冷却器５３７は供給管５３７ａ、排出管５３７ｂ、および、複数の中継管５３７ｃを有する。供給管５３７ａと排出管５３７ｂは複数の中継管５３７ｃを介して連結されている。これら３つの管の中を冷媒が流れる。供給管５３７ａから排出管５３７ｂへと複数の中継管５３７ｃを介して冷媒が流れる。
【００５３】
供給管５３７ａと排出管５３７ｂはそれぞれｘ方向に延びている。供給管５３７ａと排出管５３７ｂはｙ方向で離間している。複数の中継管５３７ｃそれぞれは供給管５３７ａから排出管５３７ｂへと向かってｙ方向に沿って延びている。
【００５４】
複数の中継管５３７ｃはｘ方向で離間して並んでいる。隣り合う２つの中継管５３７ｃの間に空隙が構成されている。冷却器５３７には計４個の空隙が構成されている。これら４個の空隙それぞれにパッケージを構成するＡ相レグ５３１〜Ｄ相レグ５３４が個別に設けられる。これによりＡ相レグ５３１〜Ｄ相レグ５３４はｘ方向で離間して並んでいる。
【００５５】
Ａ相レグ５３１〜Ｄ相レグ５３４それぞれはｘ方向で中継管５３７ｃと接触している。これにより４相のレグで発生した熱が中継管５３７ｃを介して冷媒に放熱可能になっている。
【００５６】
図３に示すように冷却器５３７（スイッチモジュール５３０）は第１支持部５８２ａと第２支持部５８２ｂに設けられる。供給管５３７ａが第２支持部５８２ｂに設けられる。排出管５３７ｂが第１支持部５８２ａに設けられる。複数の中継管５３７ｃと４相のレグは、枠部５８１の中空における第１支持部５８２ａと第２支持部５８２ｂとの間の空隙とｚ方向で連通する領域に設けられる。
【００５７】
４相のレグそれぞれが備えるハイサイドスイッチ５３５とローサイドスイッチ５３６のコレクタ電極、エミッタ電極、および、ゲート電極に接続された端子の先端は、ｚ方向に沿って枠部５８１の開口の外に突出している。コレクタ電極とエミッタ電極それぞれに接続された端子の先端は、枠部５８１におけるケース５８０の上面側の開口の外に突出している。ゲート電極に接続された端子の先端は、枠部５８１におけるケース５８０の下面側の開口の外に突出している。
【００５８】
冷却器５３７が第１支持部５８２ａと第２支持部５８２ｂに設けられた状態で、複数の中継管５３７ｃと４相のレグは第３支持部５８２ｃとｘ方向で並んでいる。そのために複数の中継管５３７ｃと４相のレグは第３支持部５８２ｃの凹部５８２ｄに設けられた第２平滑コンデンサ５４０とｘ方向で並んでいる。また、供給管５３７ａと排出管５３７ｂとの間に第２平滑コンデンサ５４０が位置している。そのために第２平滑コンデンサ５４０は、冷媒の流れる供給管５３７ａ、排出管５３７ｂ、および、中継管５３７ｃそれぞれによって周りを囲まれている。
【００５９】
図３に示すように、ｘ方向に並ぶ複数の中継管５３７ｃにおける最も第３支持部５８２ｃ側に位置する中継管５３７ｃは、第３支持部５８２ｃとｘ方向で対向する態様で互いに接触している。そしてｘ方向に並ぶ複数の中継管５３７ｃにおける最も第１側壁５８１ａ側に位置する中継管５３７ｃは、第１側壁５８１ａとｘ方向で離間している。この中継管５３７ｃと第１側壁５８１ａとの間の空隙にバネ部５３８が圧入される。
【００６０】
この空隙へのバネ部５３８の圧入により、複数の中継管５３７ｃはバネ部５３８と第３支持部５８２ｃとの間でｘ方向に圧縮される。複数の中継管５３７ｃそれぞれの離間間隔が狭まる態様で、複数の中継管５３７ｃがｘ方向に弾性変形する。この結果、複数の中継管５３７ｃの間に設けられた４相のレグそれぞれと中継管５３７ｃとの接触面積が増大している。レグと中継管５３７ｃとの間の熱抵抗の増大が抑制されている。
【００６１】
以上に示したように、スイッチモジュール５３０はｘ方向に離間して並ぶ複数の中継管５３７ｃと、これら複数の中継管５３７ｃの間に空隙に設けられる４相のレグと、を有する。そのためにスイッチモジュール５３０は概してｘ方向に長い形状となっている。このスイッチモジュール５３０のｘ方向の長さは、スイッチモジュール５３０の備えるレグの数が増大するにしたがって長くなる。
【００６２】
また、スイッチモジュール５３０の中継管５３７ｃと第１側壁５８１ａとの間にバネ部５３８が設けられる。そのためにケース５８０は概してｘ方向に長い形状となっている。このケース５８０のｘ方向の長さも、スイッチモジュール５３０の備えるレグの数が増大するにしたがって長くなる。
【００６３】
図１に基づいて説明したように、Ａ相連結バスバ５５１〜Ｄ相連結バスバ５５４は、Ａ相レグ５３１〜Ｄ相レグ５３４のうちの対応するレグの備えるハイサイドスイッチ５３５のエミッタ電極とローサイドスイッチ５３６のコレクタ電極に電気的に接続される。
【００６４】
上記したようにハイサイドスイッチ５３５とローサイドスイッチ５３６それぞれのコレクタ電極とエミッタ電極に接続された端子の先端は、枠部５８１の上面側の開口の外に突出している。これら端子に接続されるべく、図２に示すようにＡ相連結バスバ５５１〜Ｄ相連結バスバ５５４それぞれは枠部５８１の上面側に位置している。これらＡ相連結バスバ５５１〜Ｄ相連結バスバ５５４はｘ方向で離間して並んでいる。
【００６５】
Ａ相連結バスバ５５１は、Ａ相レグ５３１の備えるハイサイドスイッチ５３５のエミッタ電極に接続された端子の先端とローサイドスイッチ５３６のコレクタ電極に接続された端子の先端それぞれに接続される。Ａ相連結バスバ５５１は、これら端子との接続部位から離間する態様でｙ方向に沿って延びている。Ａ相連結バスバ５５１の先端には、Ａ相リアクトル５１１とボルト止めするためのＡ相ボルト孔５５１ａが形成されている。
【００６６】
同様にして、Ｂ相連結バスバ５５２は、Ｂ相レグ５３２の備えるハイサイドスイッチ５３５のエミッタ電極に接続された端子の先端とローサイドスイッチ５３６のコレクタ電極に接続された端子の先端それぞれに接続される。Ｂ相連結バスバ５５２は、これら端子との接続部位から離間する態様でｙ方向に沿って延びている。Ｂ相連結バスバ５５２の先端には、Ｂ相リアクトル５１２とボルト止めするためのＢ相ボルト孔５５２ａが形成されている。
【００６７】
Ｃ相連結バスバ５５３は、Ｃ相レグ５３３の備えるハイサイドスイッチ５３５のエミッタ電極に接続された端子の先端とローサイドスイッチ５３６のコレクタ電極に接続された端子の先端それぞれに接続される。Ｃ相連結バスバ５５３は、これら端子との接続部位から離間する態様でｙ方向に沿って延びている。Ｃ相連結バスバ５５３の先端には、Ｃ相リアクトル５１３とボルト止めするためのＣ相ボルト孔５５３ａが形成されている。
【００６８】
Ｄ相連結バスバ５５４は、Ｄ相レグ５３４の備えるハイサイドスイッチ５３５のエミッタ電極に接続された端子の先端とローサイドスイッチ５３６のコレクタ電極に接続された端子の先端それぞれに接続される。Ｄ相連結バスバ５５４は、これら端子との接続部位から離間する態様でｙ方向に沿って延びている。Ｄ相連結バスバ５５４の先端には、Ｄ相リアクトル５１４とボルト止めするためのＤ相ボルト孔５５４ａが形成されている。以上に示した連結バスバのボルト孔は図１において白丸で示している。
【００６９】
図１に基づいて説明したように、Ａ相レグ５３１〜Ｄ相レグ５３４それぞれの有するハイサイドスイッチ５３５のエミッタ電極と第２平滑コンデンサ５４０の有する２つの電極のうちの一方とがＰバスバ５６０に電気的に接続される。Ａ相レグ５３１〜Ｄ相レグ５３４それぞれの有するローサイドスイッチ５３６のコレクタ電極と第２平滑コンデンサ５４０の有する２つの電極のうちの他方とがＮバスバ５７０に電気的に接続される。
【００７０】
図２に示すように第２平滑コンデンサ５４０の有する２つの電極端子のうちの一方に第１延長バスバ５４１が接続されている。この第１延長バスバ５４１にＰバスバ５６０がボルト止めされる。第１延長バスバ５４１には第３電力ライン３０３をボルト止めするためのＰボルト孔５４１ａが形成されている。
【００７１】
第２平滑コンデンサ５４０の有する２つの電極端子のうちの他方に第２延長バスバ５４２が接続されている。この第２延長バスバ５４２にＮバスバ５７０がボルト止めされる。第２延長バスバ５４２には第４電力ライン３０４をボルト止めするためのＮボルト孔５４２ａが形成されている。以上に示した延長バスバのボルト孔は図１において白丸で示している。
【００７２】
図２に示すようにＰバスバ５６０とＮバスバ５７０はｚ方向で重なってケース５８０の上面側に設けられる。Ｐバスバ５６０とＮバスバ５７０との間には図示しない絶縁性の固定板が設けられている。
【００７３】
Ｐバスバ５６０とＮバスバ５７０それぞれは固定板に図示しないボルトによって固定される。固定板は図示しないボルトによってケース５８０に固定されている。このようにＰバスバ５６０とＮバスバ５７０は固定板を介してケース５８０に固定されている。またＮバスバ５７０は後述の端子台５９０を介してケース５８０に固定されている。
【００７４】
Ｐバスバ５６０はｘ方向に延びる本体部５６１と、本体部５６１からｙ方向に沿って延びた複数の接続端部５６２と、を有する。本体部５６１は第１延長バスバ５４１にボルト止めされている。複数の接続端部５６２は４相のレグそれぞれのハイサイドスイッチ５３５のコレクタ電極に接続された端子の先端に溶接接合されている。次に、Ｎバスバ５７０を詳説する。
【００７５】
＜Ｎバスバの寸法バラツキ＞
これにまでに説明したように、Ｎバスバ５７０はスイッチモジュール５３０の有するＡ相レグ５３１〜Ｄ相レグ５３４それぞれと、第２平滑コンデンサ５４０とに接続される。これらＮバスバ５７０の接続対象であるスイッチモジュール５３０と第２平滑コンデンサ５４０はｘ方向に並んでいる。スイッチモジュール５３０はｘ方向に長い形状となっている。
【００７６】
またＮバスバ５７０は固定板と後述の端子台５９０を介してケース５８０に固定される。このケース５８０は、バネ部５３８、スイッチモジュール５３０、および、第２平滑コンデンサ５４０のｘ方向の並びのために、ｘ方向に長い形状となっている。
【００７７】
ケース５８０には端子台５９０を介して第２電力ライン３０２が機械的に接続される。Ｎバスバ５７０は第２電力ライン３０２と機械的および電気的に接続される。ケース５８０における第２電力ライン３０２の固定位置は第１側壁５８１ａを介してバネ部５３８とｘ方向で離間して並んでいる。この固定位置とＮバスバ５７０における第２電力ライン３０２との接続位置は一致している。
【００７８】
以上に示した構成のため、Ｎバスバ５７０はｘ方向に長い形状になっている。ｘ方向への延長のためにＮバスバ５７０のｘ方向の長さの寸法バラツキが増大する虞がある。これによりＮバスバ５７０と第２電力ライン３０２とを接続することが困難になる虞がある。このような課題を解決するべく、Ｎバスバ５７０は複数に分割されている。
【００７９】
＜Ｎバスバの構成＞
本実施形態のＮバスバ５７０は第１分割バスバ５７１と第２分割バスバ５７２の２つに分割されている。第１分割バスバ５７１と第２分割バスバ５７２はそれぞれ金属板をプレス加工することで製造されている。第１分割バスバ５７１と第２分割バスバ５７２はｘ方向に延びる態様で互いに連結されている。第１分割バスバ５７１と第２分割バスバ５７２は連結ボルト５７３を介して互いに機械的および電気的に接続されている。
【００８０】
＜第１分割バスバ＞
細分化して説明すると第１分割バスバ５７１は、本体部５７１ａ、第１接続端部５７１ｂ、第２接続端部５７１ｃ、および、複数の第３接続端部５７１ｄを有する。本体部５７１ａは第１接続端部５７１ｂ〜第３接続端部５７１ｄそれぞれよりも自身の延びる方向（延長方向）の長さが長くなっている。本体部５７１ａは上記した固定板上において第２側壁５８１ｂから第１側壁５８１ａに向かってｘ方向に延びている。
【００８１】
第１接続端部５７１ｂは本体部５７１ａの有する２つの端部のうちの第２側壁５８１ｂ側の端部から第３側壁５８１ｃ側に向かってｙ方向に延びている。第１接続端部５７１ｂは第２延長バスバ５４２にボルト止めされている。
【００８２】
第２接続端部５７１ｃは本体部５７１ａの有する２つの端部のうちの第１側壁５８１ａ側の端部から第３側壁５８１ｃ側に向かってｙ方向に延びている。第２接続端部５７１ｃは第２分割バスバ５７２にボルト止めされている。
【００８３】
図２に示すように第１接続端部５７１ｂと第２接続端部５７１ｃはｘ方向で離間して並んでいる。第１接続端部５７１ｂと第２接続端部５７１ｃとの間に複数の中継管５３７ｃと４相のレグが位置している。
【００８４】
複数の第３接続端部５７１ｄは本体部５７１ａの中央部から第３側壁５８１ｃ側に向かってｙ方向に延びている。本実施形態ではレグの数と同数の４つの第３接続端部５７１ｄが本体部５７１ａに一体的に連結されている。これら４つの第３接続端部５７１ｄは第１接続端部５７１ｂと第２接続端部５７１ｃとの間でｘ方向に離間して並んでいる。４つの第３接続端部５７１ｄは４相のレグそれぞれのローサイドスイッチ５３６のエミッタ電極に接続された端子の先端と溶接接合されている。
【００８５】
＜第２分割バスバと端子台＞
上記したように第２分割バスバ５７２は端子台５９０に固定される。そのために以下においてはこれら第２分割バスバ５７２と端子台５９０を図４〜図６に基づいて一緒に説明する。なお図５では後述の第１ボルト孔５７４ｃ、第２ボルト孔５７６ｃ、および、支持ボルト孔５９２ｃそれぞれを破線で示している。図６では第２分割バスバ５７２と端子台５９０の他に、後述の連結ボルト５７３、固定ボルト５７８、接続ボルト５７９、第２接続端部５７１ｃ、および、第２電力ライン３０２の金属端子３０２ａを図示している。
【００８６】
第２分割バスバ５７２は第２接続端部５７１ｃから離間する態様でｘ方向に延びている。第２分割バスバ５７２はケース５８０の第１側壁５８１ａに端子台５９０を介して連結される。第２分割バスバ５７２は第１側壁５８１ａ側に位置する下面とその反対側の上面を有する。
【００８７】
図４に示すように第２分割バスバ５７２は複数個所で屈曲している。そのために第２分割バスバ５７２の上面と下面は場所によって面する方向が異なっている。屈曲部位を境として細分化して説明すると、第２分割バスバ５７２は、連結部５７４、延長部５７５、固定部５７６、および、接続部５７７を有する。
【００８８】
連結部５７４はｘ方向に延びている。連結部５７４の上面と下面はｚ方向に面している。連結部５７４は上面と下面との間のｚ方向の厚さの薄い平板形状を成している。
【００８９】
延長部５７５はｚ方向に延びている。延長部５７５の上面と下面はｘ方向に面している。延長部５７５は上面と下面との間のｘ方向の厚さの薄い平板形状を成している。
【００９０】
固定部５７６はｘ方向に延びている。固定部５７６の上面と下面はｚ方向に面している。固定部５７６は上面と下面との間のｚ方向の厚さの薄い平板形状を成している。
【００９１】
接続部５７７はｚ方向に延びている。接続部５７７の上面と下面はｘ方向に面している。接続部５７７は上面と下面との間のｘ方向の厚さの薄い平板形状を成している。
【００９２】
連結部５７４と延長部５７５とが一体的に連結されている。連結部５７４の上面と延長部５７５の上面それぞれの沿面方向が直交している。連結部５７４の下面と延長部５７５の下面それぞれの沿面方向が直交している。連結部５７４の上面と延長部５７５の上面との間の角度が２７０°になっている。連結部５７４の下面と延長部５７５の下面との間の角度が９０°になっている。
【００９３】
延長部５７５と固定部５７６とが一体的に連結されている。延長部５７５の上面と固定部５７６の上面それぞれの沿面方向が直交している。延長部５７５の下面と固定部５７６の下面それぞれの沿面方向が直交している。延長部５７５の上面と固定部５７６の上面との間の角度が９０°になっている。延長部５７５の下面と固定部５７６の下面との間の角度が２７０°になっている。
【００９４】
固定部５７６と接続部５７７とが一体的に連結されている。固定部５７６の上面と接続部５７７の上面それぞれの沿面方向が直交している。固定部５７６の下面と接続部５７７の下面それぞれの沿面方向が直交している。固定部５７６の上面と接続部５７７の上面との間の角度が２７０°になっている。固定部５７６の下面と接続部５７７の下面との間の角度が９０°になっている。
【００９５】
以上に示したように第２分割バスバ５７２はｘ方向に延びるとともにｚ方向に延びている。図６に分解して示すように、連結部５７４に第１分割バスバ５７１の第２接続端部５７１ｃが連結される。固定部５７６が端子台５９０に固定される。接続部５７７に第２電力ライン３０２の金属端子３０２ａが接続される。第２電力ライン３０２が外部接続部に相当する。
【００９６】
図６に示すように連結部５７４にはｚ方向に開口する第１ボルト孔５７４ｃが形成されている。第１ボルト孔５７４ｃは連結部５７４の上面と下面とに開口している。
【００９７】
そして連結部５７４の下面には連結ナット５７４ｄが連結されている。連結ナット５７４ｄはｚ方向に開口する筒形状を成している。連結ナット５７４ｄにはねじ溝が形成されている。連結ナット５７４ｄの中空と第１ボルト孔５７４ｃの中空とがｚ方向で連通している。
【００９８】
第１分割バスバ５７１の第２接続端部５７１ｃにはｚ方向に貫通する連結ボルト孔５７１ｅが形成されている。第２分割バスバ５７２の連結部５７４の上面に第１分割バスバ５７１の第２接続端部５７１ｃが重ねられる。この際、連結ボルト孔５７１ｅと第１ボルト孔５７４ｃとがｚ方向で連通される。
【００９９】
このように第２接続端部５７１ｃと連結部５７４とがｚ方向で重なった状態で、連結ボルト５７３の軸部の先端が連結ボルト孔５７１ｅと第１ボルト孔５７４ｃそれぞれの中空に通される。これらボルト孔の中空を通った連結ボルト５７３の軸部の先端が連結ナット５７４ｄの中空に通される。連結ボルト５７３の軸部の先端が連結ナット５７４ｄのねじ溝に締結される。第２接続端部５７１ｃと連結部５７４とが連結ボルト５７３の頭部と連結ナット５７４ｄとの間で挟持される。これにより第１分割バスバ５７１と第２分割バスバ５７２とが機械的および電気的に接続されている。
【０１００】
なおもちろんではあるが、この連結ボルト５７３と連結ナット５７４ｄの締結具合が外力などの作用によってゆるむと、第１分割バスバ５７１と第２分割バスバ５７２との機械的および電気的な接続に不良が生じる虞がある。
【０１０１】
固定部５７６にはｚ方向に開口する第２ボルト孔５７６ｃが形成されている。第２ボルト孔５７６ｃは固定部５７６の上面と下面とに開口している。
【０１０２】
固定部５７６（第２分割バスバ５７２）は絶縁性の樹脂材料から成る端子台５９０に固定される。端子台５９０は１つの開口を備える箱部５９１を有する。
【０１０３】
箱部５９１はｚ方向の厚さの薄い扁平形状の底部５９３と、底部５９３の内底面５９３ａの縁部からｚ方向に延びた側部５９４と、を有する。側部５９４はｚ方向まわりの周方向で環状を成している。この側部５９４の先端によって箱部５９１の開口が区画されている。
【０１０４】
底部５９３には内底面５９３ａとその裏側の外底面５９３ｂとに開口する固定ボルト孔５９３ｃが形成されている。そして底部５９３の内底面５９３ａにはｚ方向に開口する筒形状の固定ナット５９３ｄが連結されている。固定ナット５９３ｄにはねじ溝が形成されている。固定ナット５９３ｄの中空と固定ボルト孔５９３ｃの中空とがｚ方向で連通している。
【０１０５】
固定部５７６の下面が底部５９３の外底面５９３ｂに対向する態様で、固定部５７６は端子台５９０に設けられる。この際、第２ボルト孔５７６ｃの中空と固定ボルト孔５９３ｃの中空とがｚ方向で連通される。
【０１０６】
このように固定部５７６が端子台５９０に設けられた状態で、固定ボルト５７８の軸部の先端が第２ボルト孔５７６ｃと固定ボルト孔５９３ｃそれぞれの中空に通される。これらボルト孔の中空を通った固定ボルト５７８の軸部の先端が固定ナット５９３ｄの中空に通される。固定ボルト５７８の軸部の先端が固定ナット５９３ｄのねじ溝に締結される。固定部５７６は固定ボルト５７８の頭部と底部５９３との間で挟持される。これにより固定部５７６（第２分割バスバ５７２）が端子台５９０に固定される。
【０１０７】
端子台５９０は上記の箱部５９１の他に、図４および図５に示すように箱部５９１の側部５９４に一体的に連結された２つのフランジ部５９２を有する。これら２つのフランジ部５９２は箱部５９１の中空から互いに離間する態様で、側部５９４からｙ方向に延びている。
【０１０８】
２つのフランジ部５９２はそれぞれｚ方向に面する２つの主面を有する。図５において破線で示すように２つのフランジ部５９２それぞれには２つの主面それぞれに開口する支持ボルト孔５９２ｃが形成されている。２つの支持ボルト孔５９２ｃの間に固定ボルト孔５９３ｃが位置している。そのために端子台５９０に第２分割バスバ５７２が固定された状態において、２つの支持ボルト孔５９２ｃの間に固定ボルト５７８が位置している。２つの支持ボルト孔５９２ｃはｘ方向において第１ボルト孔５７４ｃと後述の第３ボルト孔５７７ｃとの間に位置している。
【０１０９】
図示しないが、ケース５８０の第１側壁５８１ａにおける端子台５９０の載置面にはｚ方向に開口するボルト孔が２つ形成されている。これら２つのボルト孔それぞれにねじ溝が形成されている。これら２つのボルト孔はｙ方向に離間して並んでいる。これら２つのボルト孔のｙ方向の離間間隔は、２つのフランジ部５９２それぞれに形成された支持ボルト孔５９２ｃのｙ方向の離間間隔と同等になっている。
【０１１０】
端子台５９０は、支持ボルト孔５９２ｃと第１側壁５８１ａに形成されたボルト孔とがｚ方向で連通される態様で、第１側壁５８１ａに載置される。この載置状態で、２つの支持ボルト孔５９２ｃそれぞれに支持ボルト５９２ｄの軸部が通される。この支持ボルト孔５９２ｃを通った支持ボルト５９２ｄの軸部の先端が第１側壁５８１ａに形成されたボルト孔に通される。支持ボルト５９２ｄの軸部の先端がボルト孔に締結される。端子台５９０は支持ボルト５９２ｄの頭部と第１側壁５８１ａとの間で挟持される。これにより端子台５９０がケース５８０に固定される。この結果、Ｎバスバ５７０が端子台５９０を介してケース５８０に固定される。
【０１１１】
接続部５７７にはｘ方向に開口する第３ボルト孔５７７ｃが形成されている。第３ボルト孔５７７ｃは接続部５７７の上面と下面とに開口している。
【０１１２】
図５に示すように、第１ボルト孔５７４ｃ、第２ボルト孔５７６ｃ、および、第３ボルト孔５７７ｃそれぞれは、第２分割バスバ５７２を構成する連結部５７４、延長部５７５、固定部５７６、接続部５７７それぞれの中心を通る中心線ＣＬ上に位置している。第１ボルト孔５７４ｃ、第２ボルト孔５７６ｃ、および、第３ボルト孔５７７ｃそれぞれは、ｘ方向で並ぶとともに、ｚ方向で並んでいる。
【０１１３】
これまでに説明したように第２分割バスバ５７２の固定部５７６は端子台５９０の底部５９３に固定される。この固定状態において、図６に示すように接続部５７７は端子台５９０の側部５９４とｘ方向で対向している。
【０１１４】
この側部５９４における接続部５７７との対向部には、ｘ方向に開口する接続ボルト孔５９４ｃが形成されている。接続ボルト孔５９４ｃは側部５９４の内側面５９４ａと外側面５９４ｂとに開口している。そして側部５９４の内側面５９４ａにはｘ方向に開口する筒形状の接続ナット５９４ｄが設けられている。接続ナット５９４ｄにねじ溝が形成されている。接続ナット５９４ｄの中空と接続ボルト孔５９４ｃの中空とがｘ方向で連通している。
【０１１５】
接続部５７７の下面と側部５９４の外側面５９４ｂとがｘ方向で対向した状態で、第３ボルト孔５７７ｃ、接続ボルト孔５９４ｃ、および、接続ナット５９４ｄそれぞれの中空がｘ方向で連通されている。第３ボルト孔５７７ｃ、接続ボルト孔５９４ｃ、および、接続ナット５９４ｄそれぞれによって１つのボルト孔が構成されている。
【０１１６】
第２電力ライン３０２の金属端子３０２ａにはこの第３ボルト孔５７７ｃ、接続ボルト孔５９４ｃ、および、接続ナット５９４ｄそれぞれによって構成される１つのボルト孔に対応するボルト孔３０２ｂが形成されている。これら２つのボルト孔がｘ方向に並ばせられた状態で、これら２つのボルト孔に接続ボルト５７９の軸部が通される。そして接続ボルト５７９の軸部の先端が接続ナット５９４ｄに締結される。これにより接続ボルト５７９の頭部と端子台５９０の側部５９４との間で、第２電力ライン３０２の金属端子３０２ａと接続部５７７とが挟持される。この結果、第２電力ライン３０２とＮバスバ５７０とが機械的および電気的に接続される。電力変換ユニット５２０と第２電力ライン３０２とが機械的および電気的に接続される。
【０１１７】
なお、端子台５９０の接続ボルト孔５９４ｃと接続ナット５９４ｄが上記したケース５８０における第２電力ライン３０２の固定位置に相当する。接続部５７７の第３ボルト孔５７７ｃが上記したＮバスバ５７０における第２電力ライン３０２との接続位置に相当する。
【０１１８】
＜作用効果＞
これまでに説明したように、Ｎバスバ５７０の第３ボルト孔５７７ｃ、端子台５９０の接続ボルト孔５９４ｃと接続ナット５９４ｄそれぞれがｘ方向に並び、それぞれの中空がｘ方向で連通することで１つのボルト孔が構成されている。このボルト孔が電力変換ユニット５２０における第２電力ライン３０２との機械的および電気的な接続部位になっている。
【０１１９】
しかしながらＮバスバ５７０のｘ方向の延長によって、Ｎバスバ５７０のｘ方向の長さの寸法バラツキが大きくなると、Ｎバスバ５７０の第３ボルト孔５７７ｃと端子台５９０の接続ボルト孔５９４ｃとがｘ方向で離間する虞がある。これにより第３ボルト孔５７７ｃと接続ボルト孔５９４ｃのｘ方向の連通具合に変動が生じる虞がある。第２電力ライン３０２とＮバスバ５７０とを接続することが困難になる虞がある。
【０１２０】
これに対して本実施形態のＮバスバ５７０は、第１分割バスバ５７１と第２分割バスバ５７２の２つに分割されている。これにより第１分割バスバ５７１と第２分割バスバ５７２それぞれの延長が抑制されている。第１分割バスバ５７１と第２分割バスバ５７２それぞれの製造誤差に起因する長さの寸法バラツキの増大が抑制されている。この結果、Ｎバスバ５７０と第２電力ライン３０２との接続が困難となることが抑制されている。
【０１２１】
第２分割バスバ５７２（Ｎバスバ５７０）は端子台５９０を介してケース５８０に固定されている。
【０１２２】
これによれば、ケース５８０が外力によって振動した際に、第１分割バスバ５７１と第２分割バスバ５７２それぞれがケース５８０と同相で振動しやすくなる。そのために第１分割バスバ５７１と第２分割バスバ５７２とを機械的および電気的に接続する連結ボルト５７３の締結具合がゆるむことが抑制される。この結果、第１分割バスバ５７１と第２分割バスバ５７２とに機械的および電気的な接続不良が生じることが抑制される。
【０１２３】
第２分割バスバ５７２は連結部５７４、延長部５７５、固定部５７６、および、接続部５７７が順に一体的に連結されている。これにより第２分割バスバ５７２はｘ方向とｚ方向に延びている。
【０１２４】
そして連結部５７４には第１分割バスバ５７１と連結するための連結ボルト５７３の挿入される第１ボルト孔５７４ｃが形成されている。固定部５７６には端子台５９０に固定するための固定ボルト５７８の挿入される第２ボルト孔５７６ｃが形成されている。接続部５７７には第２電力ライン３０２の金属端子３０２ａと接続するための接続ボルト５７９の挿入される第３ボルト孔５７７ｃが形成されている。
【０１２５】
以上に示した構成により、第１ボルト孔５７４ｃ、第２ボルト孔５７６ｃ、および、第３ボルト孔５７７ｃそれぞれがｘ方向に並んでいる。ｘ方向において、第１ボルト孔５７４ｃと第３ボルト孔５７７ｃとの間に第２ボルト孔５７６ｃが位置している。
【０１２６】
これによれば、第３ボルト孔５７７ｃの形成された接続部５７７に外力が印加された場合、その外力は、第１ボルト孔５７４ｃに挿入される連結ボルト５７３ではなく、第２ボルト孔５７６ｃに挿入される固定ボルト５７８に作用されやすくなる。これにより連結ボルト５７３への応力の作用が抑制される。そのために第１分割バスバ５７１と第２分割バスバ５７２とで機械的および電気的な接続不良が生じることが抑制される。
【０１２７】
なお、上記した接続部５７７に印加される外力としては、例えば第３ボルト孔５７７ｃに挿入される接続ボルト５７９の接続ナット５９４ｄへの締結時の応力や、車両の振動に起因する応力などがある。
【０１２８】
第３ボルト孔５７７ｃはｘ方向に開口して、ｘ方向に延びている。第１ボルト孔５７４ｃと第２ボルト孔５７６ｃそれぞれはｚ方向に開口して、ｚ方向に延びている。そのために第３ボルト孔５７７ｃに挿入される接続ボルト５７９の軸部はｘ方向に延びている。第１ボルト孔５７４ｃに挿入される連結ボルト５７３と第２ボルト孔５７６ｃに挿入される固定ボルト５７８それぞれの軸部はｚ方向に延びている。
【０１２９】
これによれば、接続ボルト５７９が第３ボルト孔５７７ｃを介して接続ナット５９４ｄへ締結される際、ｘ方向まわりの回転モーメントが接続ナット５９４ｄに作用する。これに応じて端子台５９０はｘ方向まわりに回転しようとする。しかしながらこのｘ方向まわりの回転は、端子台５９０と第２分割バスバ５７２とを連結する固定ボルト５７８によって抑制される。これにより第１分割バスバ５７１と第２分割バスバ５７２とを接続する連結ボルト５７３に応力が作用することが抑制される。第１分割バスバ５７１と第２分割バスバ５７２とで機械的および電気的な接続不良が生じることが抑制される。
【０１３０】
端子台５９０には、支持ボルト５９２ｄによって端子台５９０をケース５８０に固定するための支持ボルト孔５９２ｃが２つ形成されている。２つの支持ボルト孔５９２ｃはｘ方向において第１ボルト孔５７４ｃと第３ボルト孔５７７ｃとの間に位置している。
【０１３１】
これによれば、外力が接続部５７７に印加された場合、その外力の連結ボルト５７３への作用が、固定ボルト５７８だけではなく、支持ボルト孔５９２ｃに挿入される支持ボルト５９２ｄによっても抑制される。そのために第１分割バスバ５７１と第２分割バスバ５７２とで機械的および電気的な接続不良が生じることがより効果的に抑制される。
【０１３２】
以上、本開示の好ましい実施形態について説明したが、本開示は上記した実施形態になんら制限されることなく、本開示の主旨を逸脱しない範囲において、種々変形して実施することが可能である。
【０１３３】
（第１の変形例）
本実施形態では特に第１ボルト孔５７４ｃと第２ボルト孔５７６ｃとの離間距離や、第２ボルト孔５７６ｃと第３ボルト孔５７７ｃとの離間距離について言及していなかった。しかしながら例えば図６に示すように、第１ボルト孔５７４ｃと第２ボルト孔５７６ｃとの離間距離Ｌ１よりも、第２ボルト孔５７６ｃと第３ボルト孔５７７ｃとの離間距離Ｌ２の方が短い構成が好ましい。
【０１３４】
これによれば接続ボルト５７９の接続ナット５９４ｄへの締結時に発生するｘ方向まわりの回転モーメントの連結ボルト５７３への作用が、離間距離Ｌ１よりも離間距離Ｌ２が長い構成と比べて、固定ボルト５７８によってより効果的に抑制される。
【０１３５】
なお上記の作用効果は、離間距離Ｌ１，Ｌ２の長短関係ではなく、単に離間距離Ｌ２が短くなれば短くなるほどに高まる。図６において離間距離Ｌ１は、連結部５７４のｘ方向の長さの半分と、延長部５７５のｘ方向の厚みと、固定部５７６のｘ方向の長さの半分それぞれの和になっている。離間距離Ｌ２は固定部５７６のｘ方向の長さと半分と、接続部５７７のｘ方向の厚みの半分の和になっている。
【０１３６】
（第２の変形例）
本実施形態では、Ｎバスバ５７０が第２平滑コンデンサ５４０とスイッチモジュール５３０それぞれに接続される第１分割バスバ５７１と、第２電力ライン３０２に接続される第２分割バスバ５７２と、を有する例を示した。
【０１３７】
しかしながらＮバスバ５７０は、これら第１分割バスバ５７１と第２分割バスバ５７２の他に、少なくとも１つの第３分割バスバを備えてもよい。この場合、Ｎバスバ５７０は少なくとも３つの分割バスバに分割された構成となる。
【０１３８】
（第３の変形例）
本実施形態では図６に示すように底部５９３に固定ボルト孔５９３ｃが形成され、底部５９３の内底面５９３ａに固定ナット５９３ｄが連結される例を示した。しかしながら例えば図７に示すように固定ナット５９３ｄが底部５９３の外底面５９３ｂに開口する態様で、固定ナット５９３ｄが底部５９３に一体的に連結された構成を採用することもできる。
【０１３９】
（第４の変形例）
本実施形態では図６に示すように側部５９４における接続部５７７との対向部に接続ボルト孔５９４ｃが形成され、側部５９４の内側面５９４ａに接続ナット５９４ｄが連結される例を示した。しかしながら例えば図７に示すように接続ナット５９４ｄが側部５９４の外側面５９４ｂに開口する態様で、接続ナット５９４ｄが側部５９４に一体的に連結された構成を採用することもできる。
【０１４０】
この変形例の場合、接続ナット５９４ｄの中空の一部が接続ボルト孔５９４ｃを構成する。接続部５７７の下面と側部５９４の外側面５９４ｂとがｘ方向で対向した状態で、第３ボルト孔５７７ｃと接続ナット５９４ｄそれぞれの中空がｘ方向で連通される。第３ボルト孔５７７ｃと接続ナット５９４ｄそれぞれによって１つのボルト孔が構成される。
【０１４１】
（第５の変形例）
本実施形態ではＡ相レグ５３１〜Ｄ相レグ５３４それぞれの備えるハイサイドスイッチ５３５とローサイドスイッチ５３６、および、ハイサイドダイオード５３５ａとローサイドダイオード５３６ａが樹脂封止されて１つのパッケージが構成される例を示した。１相のレグの備える２つのスイッチと２つのダイオードが樹脂封止されて１つのパッケージが構成される例を示した。
【０１４２】
しかしながらこれとは異なり、例えばハイサイドスイッチ５３５とハイサイドダイオード５３５ａが樹脂封止されて１つのパッケージが構成されてもよい。ローサイドスイッチ５３６とローサイドダイオード５３６ａが樹脂封止されて１つのパッケージが構成されてもよい。パッケージの構成形態としては特に限定されない。
【０１４３】
（その他の変形例）
本実施形態では電力変換ユニット５２０にコンバータ５００の構成要素の一部が含まれる例を示した。しかしながら電力変換ユニット５２０にコンバータ５００の構成要素の全てが含まれる構成を採用することもできる。また、電力変換ユニット５２０にインバータ６００の構成要素の少なくとも一部が含まれる構成を採用することもできる。
【０１４４】
本実施形態では電力変換ユニット５２０が電気自動車用の車載システム１００に含まれる例を示した。しかしながら電力変換ユニット５２０の適用としては特に上記例に限定されない。例えばモータと内燃機関を備えるハイブリッドシステムに電力変換ユニット５２０が含まれる構成を採用することもできる。
【０１４５】
本実施形態では電力変換装置３００が１つのモータ４００に接続される構成を示した。しかしながら電力変換装置３００が２つのモータ４００に接続される構成を採用することもできる。この場合、電力変換装置３００はインバータ６００を２つ備える。
【符号の説明】
【０１４６】
１００…車載システム、２００…バッテリ、３００…電力変換装置、３０２…第２電力ライン、４００…モータ、５００…コンバータ、５１０…リアクトル、５２０…電力変換ユニット、５３０…スイッチモジュール、５３１…Ａ相レグ、５３２…Ｂ相レグ、５３３…Ｃ相レグ、５３４…Ｄ相レグ、５３７…冷却器、５７０…Ｎバスバ、５７１…第１分割バスバ、５７２…第２分割バスバ、５７３…連結ボルト、５７４ｃ…第１ボルト孔、５７６ｃ…第２ボルト孔、５７７ｃ…第３ボルト孔、５７８…固定ボルト、５７９…接続ボルト、５８０…ケース、５９０…端子台、５９２ｃ…支持ボルト孔、５９２ｄ…支持ボルト、５９４ｃ…接続ボルト孔、６００…インバータ
【図１】
2020099135.tif 000003
【図２】
2020099135.tif 000004
【図３】
2020099135.tif 000005
【図４】
2020099135.tif 000006
【図５】
2020099135.tif 000007
【図６】
2020099135.tif 000008
【図７】
2020099135.tif 000009